(57)【要約】【課題】  電子タグ付き印刷物を複写する際に電子タグから印刷物の属性情報および元画像データを読み出して利用することのできる画像形成装置において、原稿の属性情報を変更してＩＣタグ付き印刷用紙に印刷を行った場合でも、原稿の属性情報および元画像データを保持することのできる画像形成装置を提供する。【解決手段】  ＭＦＰ１００Ａは、ＩＣタグリーダー１４３ＡによりＡＤＦ１４１にセットされたＩＣタグ付き印刷物にかかる原稿のＩＣタグから属性情報を読み出して、操作部１３０に変更可能な属性情報を表示して変更指示の入力を受け付ける。ついで、ＩＣタグリーダー１４３Ａにより原稿のＩＣタグから画像データを読み出し、ＩＣタグ付き印刷用紙のＩＣタグに変更前後のいずれの属性情報及び画像データを書き込むかの指示入力を受け付ける。そして、変更後の属性情報に基づいて変更した画像データを印刷部１５１によりＩＣタグ付き印刷用紙に印刷するとともに、前記指示に従って印刷用紙のＩＣタグに変更前または変更後の属性情報および画像データを書き込む。【選択図】            図２
2005205729.tif 000002
【特許請求の範囲】
【請求項１】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出し手段と、
前記属性情報読み出し手段により読み出した属性情報のうち変更可能なものを表示する表示手段と、
前記表示手段により表示した属性情報を変更する属性情報変更手段と、
前記電子タグ付き印刷物の電子タグから画像データを読み出す画像データ読み出し手段と、
前記属性情報変更手段により変更した属性情報に基づいて前記画像データ読み出し手段により読み出した画像データを変更する画像データ変更手段と、
印刷用紙の一部に電子データを記憶する電子タグを備えた電子タグ付き印刷用紙に、前記画像データ変更手段により変更した画像データを印刷する印刷手段と、
前記印刷手段により画像データを印刷した電子タグ付き印刷用紙の電子タグに、前記属性情報読み出し手段により読み出した属性情報および前記画像データ読み出し手段により読み出した画像データを書き込む書き込み手段と、
を有することを特徴とする画像形成装置。
【請求項２】
前記印刷手段により画像データを印刷した電子タグ付き印刷用紙の電子タグに、それぞれ前記属性情報変更手段および前記画像データ変更手段による変更前後のいずれの属性情報および画像データを書き込むかを選択する選択手段をさらに有し、
前記書き込み手段は、前記選択手段により変更前の属性情報及び画像データを書き込む選択がなされた場合に、前記属性情報読み出し手段により読み出した属性情報および前記画像データ読み出し手段により読み出した画像データを書き込むことを特徴とする、
請求項１に記載の画像形成装置。
【請求項３】
前記書き込み手段は、前記印刷手段により画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、
請求項１または２に記載の画像形成装置。
【請求項４】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出しステップと、
前記属性情報読み出しステップにより読み出した属性情報のうち変更可能なものを表示する表示ステップと、
前記表示ステップにより表示した属性情報を変更する属性情報変更ステップと、
前記電子タグ付き印刷物の電子タグから画像データを読み出す画像データ読み出しステップと、
前記属性情報変更ステップにより変更した属性情報に基づいて前記画像データ読み出しステップにより読み出した画像データを変更する画像データ変更ステップと、
印刷用紙の一部に電子データを記憶する電子タグを備えた電子タグ付き印刷用紙に、前記画像データ変更ステップにより変更した画像データを印刷する印刷ステップと、
前記印刷ステップにより画像データを印刷した電子タグ付き印刷用紙の電子タグに、前記属性情報読み出しステップにより読み出した属性情報および前記画像データ読み出しステップにより読み出した画像データを書き込む書き込みステップと、
を有することを特徴とする画像形成方法。
【請求項５】
前記印刷ステップにより画像データを印刷した電子タグ付き印刷用紙の電子タグに、それぞれ前記属性情報変更ステップおよび前記画像データ変更ステップによる変更前後のいずれの属性情報および画像データを書き込むかを選択する選択ステップをさらに有し、
前記書き込みステップは、前記選択ステップにより変更前の属性情報及び画像データを書き込む選択がなされた場合に、前記属性情報読み出しステップにより読み出した属性情報および前記画像データ読み出しステップにより読み出した画像データを書き込むことを特徴とする、
請求項４に記載の画像形成方法。
【請求項６】
前記書き込みステップは、前記印刷ステップにより画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、
請求項４または５に記載の画像形成方法。
【請求項７】
印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出しステップと、
前記属性情報読み出しステップにより読み出した属性情報のうち変更可能なものを表示する表示ステップと、
前記表示ステップにより表示した属性情報を変更する属性情報変更ステップと、
前記電子タグ付き印刷物の電子タグから画像データを読み出す画像データ読み出しステップと、
前記属性情報変更ステップにより変更した属性情報に基づいて前記画像データ読み出しステップにより読み出した画像データを変更する画像データ変更ステップと、
印刷用紙の一部に電子データを記憶する電子タグを備えた電子タグ付き印刷用紙に、前記画像データ変更ステップにより変更した画像データを印刷する印刷ステップと、
前記印刷ステップにより画像データを印刷した電子タグ付き印刷用紙の電子タグに、前記属性情報読み出しステップにより読み出した属性情報および前記画像データ読み出しステップにより読み出した画像データを書き込む書き込みステップと、
を画像形成装置に実行させることを特徴とする画像形成プログラム。
【請求項８】
前記印刷ステップにより画像データを印刷した電子タグ付き印刷用紙の電子タグに、それぞれ前記属性情報変更ステップおよび前記画像データ変更ステップによる変更前後のいずれの属性情報および画像データを書き込むかを選択する選択ステップをさらに画像形成装置に実行させるものであり、
前記書き込みステップは、前記選択ステップにより変更前の属性情報及び画像データを書き込む選択がなされた場合に、前記属性情報読み出しステップにより読み出した属性情報および前記画像データ読み出しステップにより読み出した画像データを書き込むことを特徴とする、
請求項７に記載の画像形成プログラム。
【請求項９】
前記書き込みステップは、前記印刷ステップにより画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、
請求項７または８に記載の画像形成プログラム。
【請求項１０】
請求項７〜９のいずれか１項に記載の画像形成プログラムを記録したコンピュータ読み取り可能な記録媒体。
【発明の詳細な説明】
【技術分野】
【０００１】
本発明は、電子タグを備えた印刷物およびこれを複写等するための画像形成装置に関し、特に、複写時に印刷物の属性情報および元画像データを利用可能な電子タグ付き印刷物および画像形成装置に関する。
【背景技術】
【０００２】
印刷用紙の一部にＩＣタグを埋め込んだＩＣタグ付き印刷用紙を利用して印刷物の属性情報を印刷物自体に保持できるようにしたもの、およびかかる印刷物を複写する際にＩＣタグから印刷物の属性情報を読み出して利用することのできる画像形成装置が知られている（例えば、特許文献１参照）。これらの印刷物および装置では、例えば複写禁止情報がある場合に画像データにノイズを乗せる等、複写時に印刷物の属性情報を画像データに反映させて出力することができる。しかし、上記印刷物および装置は印刷物を光学複写するものであるので、複写物の画像が劣化する等の欠点がある。
【０００３】
また、印刷物を複写する際に同時に印刷物に付された識別子を読み取り、サーバから対応する元画像データをダウンロードして印刷する画像形成装置が知られている（例えば、特許文献２参照）。かかる装置によれば、印刷物にかかる元画像データを利用できるので複写物においても印刷物と同等の画質を維持することができる。しかし、上記装置では、専用サーバやネットワーク等が構築された環境下でなければ利用することができない。
【０００４】
一方、ＩＣカード等の記録媒体の基材表面に当該記録媒体に記録した画像データを印刷したものが知られている（例えば、特許文献３参照）。しかし、かかる記録媒体の基材表面の画像は、当該記録媒体に記録された画像データを視覚的に容易に確認できるようにするために簡易的に印刷されたものに過ぎず、画像が印刷された当該記録媒体が印刷物として流通したり複写されたりする性質を有するものではない。
【特許文献１】特開２００１−２４８４５号公報
【特許文献２】特開２００２−２０９０３９号公報
【特許文献３】特開平１０−３３４２１５号公報
【発明の開示】
【発明が解決しようとする課題】
【０００５】
上記従来技術の有する問題点を解決する手段として、本出願人は、印刷用紙の一部にＩＣタグを埋め込んだＩＣタグ付き印刷用紙を利用して印刷物の属性情報および元画像データを印刷物自体に保持できるようにした電子タグ付き印刷物、およびかかる印刷物を複写する際にＩＣタグから印刷物の属性情報および元画像データを読み出して利用することのできる画像形成装置を出願した。かかる印刷物および装置によれば、複写時に印刷物自体が保持する印刷物の属性情報および元画像データを利用することができるので、属性情報が反映された高画質な複写物を容易に得ることができる。しかし、上記装置において、上記印刷物にかかるＩＣタグ付き原稿の属性情報を変更してＩＣタグ付き印刷用紙に印刷を行った場合、印刷用紙のＩＣタグに変更後の属性情報および画像データが書き込まれるので、原稿の属性情報および元画像データが保持されずにその一部が欠落等してしまうという問題があった。
【０００６】
従って、本発明は、電子タグ付き印刷物を複写する際に電子タグから印刷物の属性情報および元画像データを読み出して利用することのできる画像形成装置において、原稿の属性情報を変更してＩＣタグ付き印刷用紙に印刷を行った場合でも、原稿の属性情報および元画像データを保持することのできる画像形成装置を提供することを目的とする。
【課題を解決するための手段】
【０００７】
本発明の上記目的は、下記の手段によって達成される。
【０００８】
（１）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出し手段と、前記属性情報読み出し手段により読み出した属性情報のうち変更可能なものを表示する表示手段と、前記表示手段により表示した属性情報を変更する属性情報変更手段と、前記電子タグ付き印刷物の電子タグから画像データを読み出す画像データ読み出し手段と、前記属性情報変更手段により変更した属性情報に基づいて前記画像データ読み出し手段により読み出した画像データを変更する画像データ変更手段と、印刷用紙の一部に電子データを記憶する電子タグを備えた電子タグ付き印刷用紙に、前記画像データ変更手段により変更した画像データを印刷する印刷手段と、前記印刷手段により画像データを印刷した電子タグ付き印刷用紙の電子タグに、前記属性情報読み出し手段により読み出した属性情報および前記画像データ読み出し手段により読み出した画像データを書き込む書き込み手段と、を有することを特徴とする画像形成装置。
【０００９】
（２）前記印刷手段により画像データを印刷した電子タグ付き印刷用紙の電子タグに、それぞれ前記属性情報変更手段および前記画像データ変更手段による変更前後のいずれの属性情報および画像データを書き込むかを選択する選択手段をさらに有し、前記書き込み手段は、前記選択手段により変更前の属性情報及び画像データを書き込む選択がなされた場合に、前記属性情報読み出し手段により読み出した属性情報および前記画像データ読み出し手段により読み出した画像データを書き込むことを特徴とする、（１）に記載の画像形成装置。
【００１０】
（３）前記書き込み手段は、前記印刷手段により画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、（１）または（２）に記載の画像形成装置。
【００１１】
（４）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出しステップと、前記属性情報読み出しステップにより読み出した属性情報のうち変更可能なものを表示する表示ステップと、前記表示ステップにより表示した属性情報を変更する属性情報変更ステップと、前記電子タグ付き印刷物の電子タグから画像データを読み出す画像データ読み出しステップと、前記属性情報変更ステップにより変更した属性情報に基づいて前記画像データ読み出しステップにより読み出した画像データを変更する画像データ変更ステップと、印刷用紙の一部に電子データを記憶する電子タグを備えた電子タグ付き印刷用紙に、前記画像データ変更ステップにより変更した画像データを印刷する印刷ステップと、前記印刷ステップにより画像データを印刷した電子タグ付き印刷用紙の電子タグに、前記属性情報読み出しステップにより読み出した属性情報および前記画像データ読み出しステップにより読み出した画像データを書き込む書き込みステップと、を有することを特徴とする画像形成方法。
【００１２】
（５）前記印刷ステップにより画像データを印刷した電子タグ付き印刷用紙の電子タグに、それぞれ前記属性情報変更ステップおよび前記画像データ変更ステップによる変更前後のいずれの属性情報および画像データを書き込むかを選択する選択ステップをさらに有し、前記書き込みステップは、前記選択ステップにより変更前の属性情報及び画像データを書き込む選択がなされた場合に、前記属性情報読み出しステップにより読み出した属性情報および前記画像データ読み出しステップにより読み出した画像データを書き込むことを特徴とする、（４）に記載の画像形成方法。
【００１３】
（６）前記書き込みステップは、前記印刷ステップにより画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、（４）または（５）に記載の画像形成方法。
【００１４】
（７）印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから前記電子タグ付き印刷物の属性情報を読み出す属性情報読み出しステップと、前記属性情報読み出しステップにより読み出した属性情報のうち変更可能なものを表示する表示ステップと、前記表示ステップにより表示した属性情報を変更する属性情報変更ステップと、前記電子タグ付き印刷物の電子タグから画像データを読み出す画像データ読み出しステップと、前記属性情報変更ステップにより変更した属性情報に基づいて前記画像データ読み出しステップにより読み出した画像データを変更する画像データ変更ステップと、印刷用紙の一部に電子データを記憶する電子タグを備えた電子タグ付き印刷用紙に、前記画像データ変更ステップにより変更した画像データを印刷する印刷ステップと、前記印刷ステップにより画像データを印刷した電子タグ付き印刷用紙の電子タグに、前記属性情報読み出しステップにより読み出した属性情報および前記画像データ読み出しステップにより読み出した画像データを書き込む書き込みステップと、を画像形成装置に実行させることを特徴とする画像形成プログラム。
【００１５】
（８）前記印刷ステップにより画像データを印刷した電子タグ付き印刷用紙の電子タグに、それぞれ前記属性情報変更ステップおよび前記画像データ変更ステップによる変更前後のいずれの属性情報および画像データを書き込むかを選択する選択ステップをさらに画像形成装置に実行させるものであり、前記書き込みステップは、前記選択ステップにより変更前の属性情報及び画像データを書き込む選択がなされた場合に、前記属性情報読み出しステップにより読み出した属性情報および前記画像データ読み出しステップにより読み出した画像データを書き込むことを特徴とする、（７）に記載の画像形成プログラム。
【００１６】
（９）前記書き込みステップは、前記印刷ステップにより画像データを印刷した電子タグ付き印刷用紙の電子タグに、前記電子タグに記憶している属性情報および画像データと前記印刷用紙に印刷された画像データに差異があることを示す情報をさらに書き込むことを特徴とする、（７）または（８）に記載の画像形成プログラム。
【００１７】
（１０）（７）〜（９）のいずれか１つに記載の画像形成プログラムを記録したコンピュータ読み取り可能な記録媒体。
【発明の効果】
【００１８】
本発明の画像形成装置によれば、電子タグ付き印刷物の属性情報を変更して電子タグ付き印刷用紙に印刷した場合でも、印刷用紙の電子タグに変更前の属性情報および画像データを書き込むので、原稿の属性情報および元画像データを保持した電子タグ付き印刷物を得ることができる。
【００１９】
また、本発明の画像形成装置によれば、電子タグ付き印刷物の属性情報を変更して電子タグ付き印刷用紙に印刷した場合に、印刷用紙の電子タグに変更前後のいずれの属性情報および画像データを書き込むかを選択することができるので、印刷された画像データと電子タグに記録された画像データとを同期させたい場合や、原稿の元画像データ等を保持したい場合に、電子タグに書き込む内容を変更してユーザの好みに応じた電子タグ付き印刷物を得ることができる。
【００２０】
さらに、本発明の画像形成装置によれば、電子タグ付き印刷物の属性情報を変更して電子タグ付き印刷用紙に印刷した場合に、印刷用紙の電子タグに、変更前の属性情報および画像データとともに、電子タグに記憶している属性情報および画像データと印刷用紙に印刷した画像データに差異があることを示す情報を書き込むので、得られた電子タグ付き印刷物を利用する際に、電子タグを参照することにより当該印刷物のかかる印刷履歴を容易に知ることができる。
【発明を実施するための最良の形態】
【００２１】
以下、本発明の実施の形態を、図面を参照して詳細に説明する。
【００２２】
図１および図２は、それぞれ、本発明の第１の実施形態にかかる画像形成装置としてのＭＦＰ（Multiple Function Peripheral  多機能周辺機器）１００Ａの構成を示すブロック図および概略図である。図１および図２に示すように、ＭＦＰ１００Ａは、制御部１１０、記憶部１２０、操作部１３０、画像入力部１４０、および画像出力部１５０を備えており、これらは信号をやり取りするためのバス１６０を介して相互に接続されている。
【００２３】
制御部１１０はＣＰＵであり、プログラムにしたがって上記各部の制御や各種の演算処理等を行う。
【００２４】
記憶部１２０は、予め各種プログラムやパラメータを格納しておくＲＯＭ、作業領域として一時的にプログラムやデータを記憶するＲＡＭ、各種プログラムやパラメータを格納し、または画像処理により得られた画像データ等を一時的に保存するために使用されるハードディスク等からなる。
【００２５】
操作部１３０は、各種情報を表示し、または各種設定入力を行うタッチパネル、コピー枚数等を設定するテンキー、動作の開始を指示するスタートキー、動作の停止を指示するストップキー、各種設定条件を初期化するリセットキー等の各種固定キー、表示ランプ等からなる。
【００２６】
画像入力部１４０は、ＡＤＦ１４１、光学読み取り部１４２、ＩＣタグリーダー１４３、入力インタフェース１４４等からなる。
【００２７】
ＡＤＦ１４１は、原稿トレイ１４５にセットされた単数枚または複数枚の原稿を一枚ずつ原稿台１４６の所定の読み取り位置まで順次搬送し、また画像読み取り後の原稿を順次排出する。
【００２８】
光学読み取り部１４２は、原稿台１４６の所定の読み取り位置にセットされた原稿またはＡＤＦにより搬送された原稿に蛍光ランプ等の光源で光を当て、その反射光をＣＣＤやＣＩＳ等の受光素子で光電変換して、その電気信号から画像データ（ビットマップデータ）を生成する。
【００２９】
ＩＣタグリーダー１４３は、後述するＩＣタグ付き原稿の非接触型ＩＣタグに記録されている電子データを読み取る。ＩＣタグリーダー１４３とＩＣタグとの間の通信方式としては、国際標準規格のＩＳＯ１４４４３、ＩＳＯ１５６９３等に規定されるものが挙げられ、１３５ＫＨｚ、１３．５６ＭＨｚ、２．４５ＧＨｚ等の周波数帯が利用される。但し、利用する通信方式はこれらに限定されるものではなく、その他の既知の通信方式や独自の通信方式を利用するものであってもよい。また、ＩＣタグリーダーは、通信可能な範囲内にある複数のＩＣタグからそれぞれに記録されている電子データを一度に読み取ることも可能である。
【００３０】
ＩＣタグリーダー１４３Ａは、原稿トレイ１４５にセットされたＩＣタグ付き原稿の非接触型ＩＣタグに記録されている電子データを読み取る。ＩＣタグリーダー１４３Ａは、原稿トレイ１４５にセットされたＩＣタグ付き原稿以外のＭＦＰ１００Ａの近辺にあるＩＣタグを検出してしまうことによる誤操作を防止するため、所定の適切な通信距離、例えば数ｃｍから数十ｃｍの近距離通信用に設計されたものが用いられる。
【００３１】
ＩＣタグ１４３Ｂは、ＡＤＦ１４１により原稿台１４６の所定の読み取り位置に搬送されたＩＣタグ付き原稿の非接触型ＩＣタグに記録されている電子データを読み取る。ＩＣタグ１４３Ｂは、ＡＤＦ１４１により原稿台１４６に搬送されたＩＣタグ付き原稿以外の近辺のＩＣタグを検出してしまうことによる誤操作を防止するため、所定の適切な通信距離、例えば数ｍｍから数ｃｍの至近距離通信用に設計されたものが用いられる。なお、ＡＤＦ１４１と原稿台１４６との間には無線通信を遮断する板金が備えられており、ＩＣタグリーダー１４３Ａは原稿台１４６上のＩＣタグ付き原稿のＩＣタグを、ＩＣタグリーダー１４３Ｂは原稿トレイ１４５上のＩＣタグ付き原稿のＩＣタグを、それぞれ検出できない構成となっている。
【００３２】
入力インタフェース１４４は、外部機器から画像データ等の入力を受けるためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等のローカル接続インタフェース、電話回線に接続するための電話回線インタフェース等を利用することができる。
【００３３】
画像出力部１５０は、印刷部１５１、ＩＣタグライター１５２、出力インタフェース１５３等からなる。
【００３４】
印刷部１５１は、画像データを電子写真方式により帯電、露光、現像、転写および定着の各工程を経て印刷用紙に画像データを印刷し、排紙トレイ１５４に排出する。
【００３５】
ＩＣタグライター１５２は、後述するＩＣタグ付き印刷用紙の非接触型ＩＣタグに電子データを書き込む。ＩＣタグライター１５２には、ＩＣタグリーダー１４３Ｂと同様の至近距離通信用のものが用いられ、ＩＣタグライター１５２とＩＣタグとの通信方式は、ＩＣタグリーダー１４３Ａまたは１４３Ｂと同様のものを利用することができる。
【００３６】
出力インタフェース１５３は、外部機器に画像ファイル等を出力するためのインタフェースであり、前記入力インタフェース１４４と同様のものを利用することができる。
【００３７】
ＭＦＰ１００Ａは、上記構成により、原稿画像を読み取って画像データを外部機器に送信するスキャナとしての機能、外部機器から受信した画像データを印刷出力するプリンタとしての機能、原稿画像を読み取って画像データを印刷出力する複写機としての機能、および画像データを電話回線を介して送受信するファクシミリとしての機能を兼ね備えるものである。
【００３８】
但し、ＭＦＰ１００Ａは、上述した構成要素以外の構成要素を含んでいてもよく、あるいは、上述した構成要素のうちの一部を含んでいなくてもよい。例えば、本実施形態では、ＭＦＰ１００Ａの画像入力部１４０は、必ずしも入力インタフェース１４４を有していなくてもよく、画像出力部１５０は必ずしも出力インタフェース１５３を有していなくてもよい。
【００３９】
つぎに、本実施形態にかかるＩＣタグ付き原稿を図３および図４を参照して説明する。図３は、本実施形態にかかるＩＣタグ付き原稿２００の構成を示す概略図である。図３に示すように、ＩＣタグ付き原稿２００は、印刷用紙２１１の一部分にＩＣタグ２１２が埋め込まれてなるＩＣタグ付き印刷用紙２１０上に画像２２０が印刷されてなり、ＩＣタグ２１２には画像２２０にかかる画像データ（元画像データ）が記録されている。
【００４０】
ここで、印刷用紙２１１は、紙、布、プラスチック、金属等からなるシート状の印刷用記録材である。
【００４１】
また、ＩＣタグ２１２は無線通信を利用した非接触型の電子タグであり、内部にＩＣチップからなる記憶部とコイルからなるアンテナ部とを有しており（いずれも図示せず）、ＩＣタグリーダー１４３またはＩＣタグライター１５２から放出される電波を受信して電磁誘導結合によりＩＣタグリーダー１４３Ａ、１４３ＢまたはＩＣタグライター１５２と無線通信を行い、電子データの読み出しおよび書き込みを行うことができる。近年、厚さ０．２５ｍｍ等の微小なＩＣタグが開発され印刷用紙に埋め込むことが可能となるとともに、ＩＣチップの高容量化が進みＩＣタグに記録可能な情報量も飛躍的に増大することが見込まれている。ただし、本発明で利用される電子タグは、電子データを送受信する通信インタフェースと電子データを記憶する記憶部を有していれば特に限定されるものではなく、上述の非接触型のＩＣタグ以外にも、接点式の通信インタフェースにより通信を行う接触型のＩＣタグ等であってもよい。
【００４２】
図４は、ＩＣタグ２１２に記録されている電子データの内容を説明するための図である。図４に示すように、ＩＣタグ２１２の記憶部には電子データ３００が記録されている。電子データ３００はＸＭＬ形式により記述されており、印刷物固有の原稿ＩＤ、ページ番号、複写可能か否かを示す複写可否等のＩＣタグ付き原稿２００の属性情報が記録されたヘッダ部３１０と、ＩＣタグ付き印刷用紙２１０上に印刷された画像２２０にかかる元画像データが記録された画像データ部３２０とを有している。ただし、ＩＣタグ２１２に電子データとして記録される情報および電子データの形式は、これらの例に限定されるものではない。
【００４３】
また、図３において、ＩＣタグ付き印刷用紙２１０は、必ずしも図示した形態に限られるものではなく、例えばＩＣタグ２１２が印刷用紙２１１の略全体を占めるように埋め込まれているものであってもよいし、複数個のＩＣタグ２１２が印刷用紙２１１の略全体に分散して埋め込まれているものであってもよい。
【００４４】
つぎに、本実施形態におけるＭＦＰ１００Ａの動作の概要を説明する。図５〜図７は、本実施形態におけるＭＦＰ１００Ａの画像形成処理の手順を示すフローチャートである。なお、図５〜図７のフローチャートにより示されるアルゴリズムは、ＭＦＰ１００Ａの記憶部１２０に制御プログラムとして記憶されており、動作開始の際に制御部１１０により読み出されて実行される。
【００４５】
図５において、ＭＦＰ１００Ａは、開始命令があるまで待機する（Ｓ１０１のＮＯ）。ユーザは、原稿を原稿トレイ１４５にセットし、操作部１３０から、印刷部数、印刷用紙の種類またはサイズ等の印刷条件を設定してスタートキーを押す。
【００４６】
ＭＦＰ１００Ａは、操作部１３０から開始命令の入力があると（Ｓ１０１のＹＥＳ）、ＩＣタグリーダー１４３Ａにより原稿トレイ１４５にセットされた原稿からＩＣタグを検索し、原稿がＩＣタグ付き原稿であるか否かを判断する（Ｓ１０２）。ステップＳ１０２でＩＣタグが検出されなかった場合は、原稿トレイ１４５にセットされた原稿が通常の原稿であるものと判断し（Ｓ１０２のＮＯ）、原稿トレイ１４５にセットされた原稿をＡＤＦ１４１により原稿台１４６の所定の読み取り位置まで搬送し（Ｓ１０３）、光学読み取り部１４２により原稿画像を読み取って画像データに変換し（Ｓ１０４）、印刷部１５１により印刷条件に従って通常の印刷用紙に印刷して（Ｓ１０５）、排紙トレイ１５４に排出する（Ｓ１０６）。
【００４７】
ステップＳ１０２でＩＣタグが検出された場合は、原稿トレイ１４５にセットされた原稿がＩＣタグ付き原稿であるものと判断して（Ｓ１０２のＹＥＳ）、ＩＣタグリーダー１４３Ａにより原稿トレイ１４５にセットされたＩＣタグ付き原稿のＩＣタグから当該原稿の属性情報を記憶部１２０に読み出す（Ｓ１０７）。さらに、ＩＣタグリーダー１４３ＡによりＩＣタグ付き原稿のＩＣタグに元画像データが記録されているか否かを判断し（Ｓ１０８）、ＩＣタグ内に元画像データが記録されていない場合は（Ｓ１０８のＮＯ）、通常の原稿の場合と同様にして原稿を搬送し原稿画像を光学読み取りして得られた画像データを印刷する（Ｓ１０３〜Ｓ１０６）。
【００４８】
ステップＳ１０８で、ＩＣタグ内に元画像データが記録されている場合は（Ｓ１０８のＹＥＳ）、図８の画面４１０のように、操作部１３０のタッチパネルに、原稿がＩＣタグ付き原稿でありＩＣタグ内に原稿の元画像データが記録されていて利用可能である旨を表示し（Ｓ１０９）、ＩＣタグ内の元画像データを印刷するか否かの指示入力を受け付ける（Ｓ１１０）。そして、元画像データを印刷しない指示の入力があった場合は（Ｓ１１０のＮＯ）、通常の原稿の場合と同様にして原稿を搬送し原稿画像を光学読み取りして得られた画像データを印刷する（Ｓ１０３〜Ｓ１０６）。
【００４９】
一方、ステップＳ１１０で、元画像データを印刷する指示の入力があった場合は（Ｓ１１０のＹＥＳ）、ステップＳ１１１に進み、ステップＳ１０７で読み出した属性情報中に変更可能な属性情報が含まれているか否かを判断する（Ｓ１１１）。すなわち、ＩＣタグ付き原稿に記録されている属性情報には、変更可能なものが含まれている場合があり、その場合、属性情報中に変更可能な属性情報を示す情報が含まれている。ＭＦＰ１００Ａは、読み出した属性情報からかかる情報を検索することにより、変更可能な属性情報の有無を判断することができる。例えば、図４の電子データ３００の例では、「変更可能属性」タブにおいて、属性情報のうち、画像データの色、解像度、フォントサイズ、フォント色およびフォント種類が変更可能であることが示されている。
【００５０】
ステップＳ１１１において、属性情報中に変更可能な属性情報が含まれている場合は（Ｓ１１１のＹＥＳ）、図９の画面４２０のように、操作部１３０のタッチパネルに変更可能な属性情報を表示し（Ｓ１１２）、これらの属性を変更するか否かの指示入力を受け付ける（Ｓ１１３）。ステップＳ１１３で属性情報を変更する指示の入力があった場合は（Ｓ１１３のＹＥＳ）、さらに、図１０の画面４３０のように、操作部１３０のタッチパネルに属性情報の変更入力画面を表示して属性情報の変更入力を受け付け、変更後の属性情報を記憶部１２０に記憶する（Ｓ１１４）。図１０の画面４３０では、変更可能な属性情報のうち、画像データの色を「フルカラー」から「グレースケール」に、解像度を「６００ｄｐｉ」から「２００ｄｐｉ」に、およびフォント種類を「ゴシック」から「Ｐゴシック」にそれぞれ変更して入力する例を示している。
【００５１】
ついで、ＩＣタグリーダー１４３Ａにより原稿トレイ１４５にセットされたＩＣタグ付き原稿のＩＣタグから元画像データを記憶部１２０に読み出す（Ｓ１１５）。そして、ステップＳ１１６に進み、図１１の画面４４０のように、操作部１３０のタッチパネルにＩＣタグ付き印刷用紙への印刷指示入力画面を表示して（Ｓ１１６）、ＩＣタグ付き印刷用紙に印刷するか否かの指示入力を受け付ける（Ｓ１１７）。ステップＳ１１７でＩＣタグ付き印刷用紙への印刷指示がなかった場合は（Ｓ１１７のＮＯ）、印刷部１５１により、ステップＳ１１３で変更された属性情報に基づいて変更した画像データを通常の印刷用紙に印刷し（Ｓ１１８）、印刷用紙を排紙トレイ１５４に排出する（Ｓ１０６）。
【００５２】
一方、ステップＳ１１７でＩＣタグ付き印刷用紙への印刷指示があった場合は（Ｓ１１７のＹＥＳ）、図１２の画面４５０のように、操作部１３０のタッチパネルにＩＣタグ付き印刷用紙のＩＣタグに書き込む属性情報の指定入力画面を表示して（Ｓ１１９）、ＩＣタグにステップＳ１１３における変更後の属性情報を書き込むか変更前の属性情報を書き込むかの指定入力を受け付ける（Ｓ１２０）。図１２の画面４５０では、変更された属性情報について変更前後の設定内容が同時に表示されており、ユーザは属性情報の変更内容を確認した後にＩＣタグに変更前後のいずれの属性情報を書き込むかを指定することができる。
【００５３】
ステップＳ１２０において変更後の属性情報を書き込む指定があった場合は（Ｓ１２０のＹＥＳ）、印刷部１５１により、変更後の属性情報に基づいて元画像データを変更してＩＣタグ付き印刷用紙に印刷し（Ｓ１２１）、さらにＩＣライター１５２により、変更後の属性情報および画像データをＩＣタグに書き込んで（Ｓ１２２）、印刷用紙を排紙トレイ１５４に排出する（Ｓ１０６）。図１３は、ステップＳ１２２でＩＣタグ付き印刷用紙のＩＣタグに記録される電子データの内容を説明するための図である。図１３に示すように、ＩＣタグ付き印刷用紙のＩＣタグには、ステップＳ１１３による変更後の属性情報およびこれが反映された画像データを含む電子データ、すなわち原稿のＩＣタグに記録されていた電子データ３００（図４参照）に対して、画像データの色が「フルカラー」から「グレースケール」に、解像度が「６００ｄｐｉ」から「２００ｄｐｉ」に、およびフォント種類が「ゴシック」から「Ｐゴシック」にそれぞれ変更された電子データ３１０が記録される。
【００５４】
一方、ステップＳ１２０において変更前の属性情報を書き込む指定があった場合は（Ｓ１２０のＮＯ）、変更後の属性情報に基づいて元画像データを変更してＩＣタグ付き印刷用紙に印刷し（Ｓ１２３）、さらに変更前の属性情報および元画像データをＩＣタグに書き込んで（Ｓ１２４）、印刷用紙を排出する（Ｓ１０６）。すなわち、ステップＳ１２４では、原稿のＩＣタグに記録されていた電子データ３００（図４参照）がＩＣタグ付き印刷用紙のＩＣタグにそのまま記録される。これにより、例えば、フルカラーの画像データにかかるＩＣタグ付き印刷物をモノクロ印刷しかできないＭＦＰ等で複写する場合に、画像データをフルカラーからモノクロに変更してＩＣタグ付き印刷用紙に印刷するが、ＩＣタグにはフルカラーの元画像データが保持されるので、得られる複写物においては、原稿の属性情報および画像データを欠落させることなく保持することができるものである。
【００５５】
なお、ステップＳ１２４において、ＩＣタグ付き印刷用紙のＩＣタグに変更前の属性情報および元画像データを書き込むとともに、ＩＣタグに記録されている属性情報と印刷された画像データに差異があること示す情報を属性情報に追加して書き込む構成としてもよい。図１４は、かかる場合にＩＣタグ付き印刷用紙のＩＣタグに記録する電子データを説明するための図である。図１４に示すように、電子データ３２０においては、電子データ３００（図４参照）の属性データに対して差異属性のタグが追加されており、ＩＣタグ付き印刷用紙に、ＩＣタグに記録されている属性情報のうち、画像データの色、解像度およびフォント種類が変更された画像データが印刷されていることが示されている。これにより、後に当該印刷物を利用しようとする者は、当該印刷物のＩＣタグ内の属性情報を参照することにより当該印刷物の上記印刷履歴を容易に知得することができる。
【００５６】
なお、ステップＳ１１１において属性情報中に変更可能な属性情報が含まれていない場合（Ｓ１１１のＮＯ）、およびステップＳ１１３においてＩＣタグ付き印刷用紙への印刷指示がなかった場合は（Ｓ１１３のＮＯ）、原稿のＩＣタグから元画像データを読み出して（Ｓ１２５）、ステップＳ１０７で読み出した属性情報に基づいて元画像データをＩＣタグ付き印刷用紙または通常の用紙に印刷し（Ｓ１２６）、さらにＩＣタグ付き用紙への印刷の場合は読み出した属性情報および元画像データをＩＣタグに書き込んで（Ｓ１２７）、印刷用紙を排出する（Ｓ１０６）。
【００５７】
つぎに、本発明の第２の実施形態にかかる画像形成装置としてのＭＦＰ１００Ｂの動作の概要を説明する。ここで、ＭＦＰ１００Ｂは前記第１の実施形態にかかるＭＦＰ１００Ａと同様の構成を有しているものとする（図１および図２参照）。図１５〜図１７は、本実施形態におけるＭＦＰ１００Ｂの画像形成処理の手順を示すフローチャートである。なお、図１５〜図１７のフローチャートにより示されるアルゴリズムは、ＭＦＰ１００Ｂの記憶部１２０に制御プログラムとして記憶されており、動作開始の際に制御部１１０により読み出されて実行される。
【００５８】
図１５において、ＭＦＰ１００Ｂは、開始命令があるまで待機する（Ｓ２０１のＮＯ）。ユーザは、原稿を原稿トレイ１４５にセットし、操作部１３０から、印刷部数、印刷用紙の種類またはサイズ等の印刷条件を設定してスタートキーを押す。
【００５９】
ＭＦＰ１００Ｂは、操作部１３０から開始命令の入力があると（Ｓ２０１のＹＥＳ）、ＩＣタグリーダー１４３Ａにより原稿トレイ１４５にセットされた原稿からＩＣタグを検索し、原稿がＩＣタグ付き原稿であるか否かを判断する（Ｓ２０２）。ステップＳ２０２でＩＣタグが検出されなかった場合は、原稿トレイ１４５にセットされた原稿が通常の原稿であるものと判断し（Ｓ２０２のＮＯ）、原稿トレイ１４５にセットされた原稿をＡＤＦ１４１により原稿台１４６の所定の読み取り位置まで搬送し（Ｓ２０３）、光学読み取り部１４２により原稿画像を読み取って画像データに変換し（Ｓ２０４）、印刷部１５１により印刷条件に従って通常の印刷用紙に印刷して（Ｓ２０５）、排紙トレイ１５４に排出する（Ｓ２０６）。
【００６０】
ステップＳ２０２でＩＣタグが検出された場合は、原稿トレイ１４５にセットされた原稿がＩＣタグ付き原稿であるものと判断して（Ｓ２０２のＹＥＳ）、ＩＣタグリーダー１４３Ａにより原稿トレイ１４５にセットされたＩＣタグ付き原稿のＩＣタグから当該原稿の属性情報を記憶部１２０に読み出す（Ｓ２０７）。さらに、ＩＣタグリーダー１４３ＡによりＩＣタグ付き原稿のＩＣタグに元画像データが記録されているか否かを判断し（Ｓ２０８）、ＩＣタグ内に元画像データが記録されていない場合は（Ｓ２０８のＮＯ）、通常の原稿の場合と同様にして原稿を搬送し原稿画像を光学読み取りして得られた画像データを印刷する（Ｓ２０３〜Ｓ２０６）。
【００６１】
ステップＳ２０８で、ＩＣタグ内に元画像データが記録されている場合は（Ｓ２０８のＹＥＳ）、図８の画面４１０のように、操作部１３０のタッチパネルに、原稿がＩＣタグ付き原稿でありＩＣタグ内に原稿の元画像データが記録されていて利用可能である旨を表示し（Ｓ２０９）、ＩＣタグ内の元画像データを印刷するか否かの指示入力を受け付ける（Ｓ２１０）。そして、元画像データを印刷しない指示の入力があった場合は（Ｓ２１０のＮＯ）、通常の原稿の場合と同様にして原稿を搬送し原稿画像を光学読み取りして得られた画像データを印刷する（Ｓ２０３〜Ｓ２０６）。
【００６２】
一方、ステップＳ２１０で、元画像データを印刷する指示の入力があった場合は（Ｓ２１０のＹＥＳ）、ステップＳ２１１に進み、ＩＣタグリーダー１４３Ａにより原稿トレイ１４５にセットされたＩＣタグ付き原稿のＩＣタグから元画像データを記憶部１２０に読み出し（Ｓ２１１）、元画像データ中にフォント情報が含まれているか否かを判断する（Ｓ２１２）。
【００６３】
ステップＳ２１２において、元画像データ中にフォント情報が含まれている場合は（Ｓ２１２のＹＥＳ）、記憶部１２０に記憶されているフォント情報テーブルを参照して（Ｓ２１３）、ＭＦＰ１００Ｂが当該フォント情報にかかるフォントデータを保有しているか否か、および当該フォント情報にかかるフォントが有償であるか無償であるかを判断する（Ｓ２１４）。図１８は、本実施形態において、ＭＦＰ１００Ｂの記憶部１２０に記憶されているフォント情報テーブルの一例を示す図である。図１８に示すように、フォント情報テーブル５００には、フォントの種類、当該フォントが有償であるか無償であるかの情報、およびＭＦＰ１００Ｂが当該フォントのフォントデータを保有しているか否かの情報が記録されている。
【００６４】
ステップＳ２１４でＭＦＰ１００Ｂがフォント情報にかかるフォントデータを保有している場合は（Ｓ２１４のＹＥＳ）、記憶部１２０から当該フォント情報にかかるフォントデータを読み出して（Ｓ２１５）、図１１の画面４４０のように、操作部１３０のタッチパネルにＩＣタグ付き印刷用紙への印刷指示入力画面を表示して、ＩＣタグ付き印刷用紙に印刷するか否かの指示入力を受け付ける（Ｓ２１６）。
【００６５】
ステップＳ２１６でＩＣタグ付き印刷用紙への印刷指示があった場合は（Ｓ２１６のＹＥＳ）、印刷部１５１により、ステップＳ２０７で読み出した属性情報に基づいてステップＳ２１１で読み出した元画像データをステップＳ２１５で読み出したフォントデータを用いてＩＣタグ付き印刷用紙に印刷するとともに（Ｓ２１７）、ＩＣライター１５２により、属性情報および元画像データをＩＣタグ付き印刷用紙のＩＣタグに書き込む（Ｓ２１８）。そして、当該フォント情報にかかるフォントが無償である場合は（Ｓ２１９のＮＯ）、さらにステップＳ２１５で読み出したフォントデータをＩＣタグ付き印刷用紙のＩＣタグに書き込み（Ｓ２２０）、当該フォント情報にかかるフォントが有償である場合は（Ｓ２１９のＹＥＳ）、フォントデータをＩＣタグに書き込まずに、印刷用紙を排紙トレイ１５４に排出する（Ｓ２０６）。
【００６６】
これにより、ＭＦＰ１００Ｂを利用してＩＣタグ付き原稿をＩＣタグ付き印刷用紙に複写する際に、ＭＦＰ１００Ｂが保有している有償のフォントデータを用いて印刷を行った場合でも、ＩＣタグ付き印刷用紙のＩＣタグには当該フォントデータをコピーしないので、有償フォントの無断複製を防止しフォントの著作権侵害を回避することができる。
【００６７】
なお、ステップＳ２１６でＩＣタグ付き印刷用紙への印刷指示がなかった場合は（Ｓ２１６のＮＯ）、印刷部１５１により、ステップＳ２０７で読み出した属性情報に基づいてステップＳ２１１で読み出した元画像データをステップＳ２１５で読み出したフォントデータを用いて通常の印刷用紙に印刷し（Ｓ２２１）、印刷用紙を排紙トレイ１５４に排出する（Ｓ２０６）。また、ステップＳ２１２において元画像データ中にフォント情報が含まれていない場合は（Ｓ２１２のＮＯ）、印刷部１５１により、ステップＳ２０７で読み出した属性情報に基づいてステップＳ２１１で読み出した元画像データを通常の印刷用紙に印刷し（Ｓ２２２）、さらにＩＣタグ付き用紙への印刷の場合は属性情報および元画像データをＩＣタグに書き込んで（Ｓ２２３）、印刷用紙を排出する（Ｓ２０６）。
【００６８】
一方、ステップＳ２１４でＭＦＰ１００Ｂがフォント情報にかかるフォントデータを保有していない場合は（Ｓ２１４のＮＯ）、ステップＳ２２４に進んで、ＩＣタグリーダー１４３Ａにより原稿トレイ１４５にセットされたＩＣタグ付き原稿のＩＣタグから当該フォント情報にかかるフォントデータを記憶部１２０に読み出して（Ｓ２２４）、操作部１３０のタッチパネルにＩＣタグ付き印刷用紙への印刷指示入力画面を表示して、ＩＣタグ付き印刷用紙に印刷するか否かの指示入力を受け付ける（Ｓ２２５）。
【００６９】
ステップＳ２２５でＩＣタグ付き印刷用紙への印刷指示があった場合は（Ｓ２２５のＹＥＳ）、印刷部１５１により、ステップＳ２０７で読み出した属性情報に基づいてステップＳ２１１で読み出した元画像データをステップＳ２２４で読み出したフォントデータを用いてＩＣタグ付き印刷用紙に印刷するとともに（Ｓ２２６）、ＩＣライター１５２により、属性情報および元画像データをＩＣタグ付き印刷用紙のＩＣタグに書き込む（Ｓ２２７）。そして、当該フォント情報にかかるフォントが無償である場合は（Ｓ２２８のＮＯ）、さらにステップＳ２２４で読み出したフォントデータをＩＣタグ付き印刷用紙のＩＣタグに書き込み（Ｓ２２９）、当該フォント情報にかかるフォントが有償である場合は（Ｓ２２８のＹＥＳ）、フォントデータをＩＣタグに書き込まないでフォントデータを記憶部１２０から削除し（Ｓ２３０）、印刷用紙を排紙トレイ１５４に排出する（Ｓ２０６）。
【００７０】
また、ステップＳ２２５でＩＣタグ付き印刷用紙への印刷指示がなかった場合は（Ｓ２２５のＮＯ）、印刷部１５１により、ステップＳ２０７で読み出した属性情報に基づいてステップＳ２１１で読み出した元画像データをステップＳ２２４で読み出したフォントデータを用いて通常の印刷用紙に印刷し（Ｓ２３１）、当該フォント情報にかかるフォントが有償である場合は（Ｓ２３２のＹＥＳ）、フォントデータを記憶部１２０から削除して（Ｓ２３０）、印刷用紙を排紙トレイ１５４に排出する（Ｓ２０６）。
【００７１】
これにより、ＭＦＰ１００Ｂを利用してＩＣタグ付き原稿をＩＣタグ付き印刷用紙または通常の印刷用紙に複写する際に、ＩＣタグ付き原稿内の有償フォントデータを用いて印刷を行った場合でも、ＭＦＰ１００Ｂの記憶部１２０に読み出した当該フォントデータを印刷後に削除するので、有償フォントの無断複製を防止しフォントの著作権侵害を回避することができる。
【００７２】
本発明は、上述した実施形態のみに限定されるものではなく、特許請求の範囲内において、種々改変することができる。
【００７３】
例えば、上記各実施形態において、画像出力部１５０は、画像データを印刷部１５１によりＩＣタグ付き印刷用紙または通常の印刷用紙に印刷し、またはＩＣタグライター１５２によりＩＣタグ付き印刷用紙のＩＣタグに書き込むだけでなく、出力インタフェース１５３を介して外部機器に送信する構成としてもよい。
【００７４】
また、上記各実施形態では、本発明にかかる画像形成装置をＭＦＰを例にして説明したが、例えば、ＭＦＰ１００Ａおよび１００Ｂは、ＩＣタグ付き印刷物の複写（ＩＣタグ付き印刷物から通常の印刷用紙への複写）専用の複写機であってもよいし、ＩＣタグ付き印刷物の作成（ＩＣタグ付き印刷物からＩＣタグ付き印刷用紙への複写）専用の複写機であってもよい。
【００７５】
本発明による画像形成装置および画像形成方法は、上記各手順を実行するための専用のハードウエア回路によっても、また、上記各手順を記述したプログラムをＣＰＵが実行することによっても実現することができる。後者により本発明を実現する場合、画像形成装置を動作させる上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。また、このプログラムは、たとえば、単独のアプリケーションソフトとして提供されてもよいし、画像形成装置の一機能としてその装置のソフトウエアに組み込んでもよい。
【００７６】
上述した本発明の実施形態には、特許請求の範囲の請求項１〜１０に記載した発明以外にも、以下の付記１〜１０に示すような発明が含まれる。
【００７７】
［付記１］  印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出し手段と、
前記読み出し手段により読み出した画像データからフォント情報を検出する検出手段と、
前記検出手段によりフォント情報が検出された場合に検出されたフォント情報にかかるフォントが有償であるか無償であるかを判断する判断手段と、
印刷用紙の一部に電子データを記憶する電子タグを備えた電子タグ付き印刷用紙に、前記読み出し手段により読み出した画像データを印刷する印刷手段と、
前記印刷手段により画像データを印刷した電子タグ付き印刷用紙の電子タグに、前記印刷手段により印刷した画像データを書き込む書き込み手段とを有し、
前記書き込み手段は、前記判断手段により前記フォント情報にかかるフォントが有償であると判断した場合に、前記印刷手段により画像データを印刷した電子タグ付き印刷用紙の電子タグに前記フォント情報にかかるフォントデータを書き込まないことを特徴とする、画像形成装置。
【００７８】
［付記２］  前記検出手段によりフォント情報が検出された場合に検出されたフォント情報にかかるフォントデータを保有しているか否かを判断する第２の判断手段と、
前記第２の判断手段により前記フォント情報にかかるフォントデータを保有していないと判断した場合に前記電子タグ付き印刷物の電子タグから前記フォント情報にかかるフォントデータを読み出す第２の読み出し手段とをさらに有し、
前記印刷手段は、前記第２の読み出し手段により読み出したフォントデータを用いて画像データを印刷することを特徴とする、
付記１に記載の画像形成装置。
【００７９】
［付記３］  前記判断手段により前記フォント情報にかかるフォントが有償であると判断した場合に、前記印刷手段による印刷後に前記第２の読み出し手段により読み出したフォントデータを削除する削除手段をさらに有することを特徴とする、
付記２に記載の画像形成装置。
【００８０】
［付記４］  印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、
前記読み出しステップにより読み出した画像データからフォント情報を検出する検出ステップと、
前記検出ステップによりフォント情報が検出された場合に検出されたフォント情報にかかるフォントが有償であるか無償であるかを判断する判断ステップと、
印刷用紙の一部に電子データを記憶する電子タグを備えた電子タグ付き印刷用紙に、前記読み出しステップにより読み出した画像データを印刷する印刷ステップと、
前記印刷ステップにより画像データを印刷した電子タグ付き印刷用紙の電子タグに、前記印刷ステップにより印刷した画像データを書き込む書き込みステップとを有し、
前記書き込みステップは、前記判断ステップにより前記フォント情報にかかるフォントが有償であると判断した場合に、前記印刷ステップにより画像データを印刷した電子タグ付き印刷用紙の電子タグに前記フォント情報にかかるフォントデータを書き込まないことを特徴とする、画像形成方法。
【００８１】
［付記５］  前記検出ステップによりフォント情報が検出された場合に検出されたフォント情報にかかるフォントデータを保有しているか否かを判断する第２の判断ステップと、
前記第２の判断ステップにより前記フォント情報にかかるフォントデータを保有していないと判断した場合に前記電子タグ付き印刷物の電子タグから前記フォント情報にかかるフォントデータを読み出す第２の読み出しステップとをさらに有し、
前記印刷ステップは、前記第２の読み出しステップにより読み出したフォントデータを用いて画像データを印刷することを特徴とする、
付記４に記載の画像形成方法。
【００８２】
［付記６］  前記判断ステップにより前記フォント情報にかかるフォントが有償であると判断した場合に、前記印刷ステップによる印刷後に前記第２の読み出しステップにより読み出したフォントデータを削除する削除ステップをさらに有することを特徴とする、
付記５に記載の画像形成方法。
【００８３】
［付記７］  印刷用紙の一部に電子データを記憶する電子タグを備えた電子タグ付き印刷用紙に画像データが印刷されてなり、前記電子タグには前記電子タグ付き印刷用紙に印刷された画像データが記憶されている電子タグ付き印刷物の、前記電子タグから画像データを読み出す読み出しステップと、
前記読み出しステップにより読み出した画像データからフォント情報を検出する検出ステップと、
前記検出ステップによりフォント情報が検出された場合に検出されたフォント情報にかかるフォントが有償であるか無償であるかを判断する判断ステップと、
印刷用紙の一部に電子データを記憶する電子タグを備えた電子タグ付き印刷用紙に、前記読み出しステップにより読み出した画像データを印刷する印刷ステップと、
前記印刷ステップにより画像データを印刷した電子タグ付き印刷用紙の電子タグに、前記印刷ステップにより印刷した画像データを書き込む書き込みステップとを画像形成装置に実行させるものであり、
前記書き込みステップは、前記判断ステップにより前記フォント情報にかかるフォントが有償であると判断した場合に、前記印刷ステップにより画像データを印刷した電子タグ付き印刷用紙の電子タグに前記フォント情報にかかるフォントデータを書き込まないことを特徴とする、画像形成プログラム。
【００８４】
［付記８］  前記検出ステップによりフォント情報が検出された場合に検出されたフォント情報にかかるフォントデータを保有しているか否かを判断する第２の判断ステップと、
前記第２の判断ステップにより前記フォント情報にかかるフォントデータを保有していないと判断した場合に前記電子タグ付き印刷物の電子タグから前記フォント情報にかかるフォントデータを読み出す第２の読み出しステップとをさらに画像形成装置に実行させるものであり、
前記印刷ステップは、前記第２の読み出しステップにより読み出したフォントデータを用いて画像データを印刷することを特徴とする、
付記７に記載の画像形成プログラム。
【００８５】
［付記９］  前記判断ステップにより前記フォント情報にかかるフォントが有償であると判断した場合に、前記印刷ステップによる印刷後に前記第２の読み出しステップにより読み出したフォントデータを削除する削除ステップをさらに画像形成装置に実行させることを特徴とする、
付記８に記載の画像形成プログラム。
【００８６】
［付記１０］  付記７〜９のいずれか１つに記載の画像形成プログラムを記録したコンピュータ読み取り可能な記録媒体。
【産業上の利用可能性】
【００８７】
上述したように、本発明によれば、電子タグ付き印刷物を複写する際に電子タグから印刷物の属性情報および元画像データを読み出して利用することのできる画像形成装置において、原稿の属性情報を変更してＩＣタグ付き印刷用紙に印刷を行った場合でも、原稿の属性情報および元画像データを保持することのできる画像形成装置が提供される。
【図面の簡単な説明】
【００８８】
【図１】本発明の第１の実施形態にかかるＭＦＰ１００Ａの構成を示すブロック図である。
【図２】ＭＦＰ１００Ａの構成を示す概略図である。
【図３】ＩＣタグ付き原稿２００の構成を示す概略図である。
【図４】ＩＣタグ付き原稿２００のＩＣタグ２１２に記録されている電子データの内容を説明するための図である。
【図５】ＭＦＰ１００Ａの画像形成処理の手順を示すフローチャートである。
【図６】ＭＦＰ１００Ａの画像形成処理の手順を示すフローチャートである。
【図７】ＭＦＰ１００Ａの画像形成処理の手順を示すフローチャートである。
【図８】ＭＦＰ１００Ａの操作部１３０のタッチパネルに表示する画面の一例である。
【図９】ＭＦＰ１００Ａの操作部１３０のタッチパネルに表示する画面の一例である。
【図１０】ＭＦＰ１００Ａの操作部１３０のタッチパネルに表示する画面の一例である。
【図１１】ＭＦＰ１００Ａの操作部１３０のタッチパネルに表示する画面の一例である。
【図１２】ＭＦＰ１００Ａの操作部１３０のタッチパネルに表示する画面の一例である。
【図１３】ＩＣタグ付き印刷用紙のＩＣタグに記録される電子データの内容を説明するための図である。
【図１４】ＩＣタグ付き印刷用紙のＩＣタグに記録される電子データの内容を説明するための図である。
【図１５】本発明の第２の実施形態にかかるＭＦＰ１００Ｂの画像形成処理の手順を示すフローチャートである。
【図１６】ＭＦＰ１００Ｂの画像形成処理の手順を示すフローチャートである。
【図１７】ＭＦＰ１００Ｂの画像形成処理の手順を示すフローチャートである。
【図１８】ＭＦＰ１００Ｂの記憶部１２０に記憶されているフォント情報テーブルの一例を示す図である。
【符号の説明】
【００８９】
１００Ａ，１００Ｂ  ＭＦＰ、
１１０  制御部、
１２０  記憶部、
１３０  操作部、
１４０  画像入力部、
１４１  ＡＤＦ、
１４２  光学読み取り部、
１４３Ａ，１４３Ｂ  ＩＣタグリーダー、
１４４  入力インタフェース、
１４５  原稿トレイ
１５０  画像出力部、
１５１  印刷部、
１５２  ＩＣタグライター、
１５３  出力インタフェース、
１５４  排紙トレイ
１６０  バス。
【図１】
2005205729.tif 000003
【図２】
2005205729.tif 000004
【図３】
2005205729.tif 000005
【図４】
2005205729.tif 000006
【図５】
2005205729.tif 000007
【図６】
2005205729.tif 000008
【図７】
2005205729.tif 000009
【図８】
2005205729.tif 000010
【図９】
2005205729.tif 000011
【図１０】
2005205729.tif 000012
【図１１】
2005205729.tif 000013
【図１２】
2005205729.tif 000014
【図１３】
2005205729.tif 000015
【図１４】
2005205729.tif 000016
【図１５】
2005205729.tif 000017
【図１６】
2005205729.tif 000018
【図１７】
2005205729.tif 000019
【図１８】
2005205729.tif 000020